(57)【要約】【課題】ディスクに記録されたＴＯＣを書き換えずに、再生専用装置でも、トラック情報が編集できるとともに、その編集を行った装置だけでなく、他の装置でも、ＴＯＣを編集した内容に従って、記録媒体からデータを再生することができる情報処理装置および情報処理方法を提供する。【解決手段】ユーザが記録媒体Ｋ１の管理情報を編集した場合、編集した管理情報を着脱可能メモリ１４上に格納することによって、記録媒体Ｋ１上の管理情報を書き換えることなく、または記録媒体Ｋ１上の管理情報を書き換えることができなくても、編集した管理情報の内容に従う再生を可能にする。【選択図】    図１
2004362682.tif 000002
【特許請求の範囲】
【請求項１】
データの情報とそのデータのトラックを管理するための管理情報とが分けて記録され着脱可能な構造の記録媒体に対して、前記データ情報および前記管理情報の転送処理を制御する情報処理装置において、前記転送処理として、前記記録媒体から前記データ情報および前記管理情報を読み出す読み出し手段と、前記読み出し手段によって読み出した前記管理情報を格納する情報格納手段と、ユーザが前記管理情報を編集して前記転送処理として前記記録媒体からのデータ再生時の再生条件を指示する編集管理情報を得るための編集処理を入力するユーザ入力手段と、前記読み出し手段によって読み出した前記管理情報、および前記ユーザ入力手段からの前記編集処理により得られた前記編集管理情報を格納する着脱可能な構造の管理情報格納手段と、前記情報格納手段および前記管理情報格納手段に格納された各管理情報の対応により、前記情報格納手段に格納された管理情報あるいは前記管理情報格納手段に格納された編集管理情報に従って、前記読み出し手段による前記データの読み出し、およびその読み出しデータの出力を制御する制御手段とを備え、前記制御手段は、前記管理情報が前記情報格納手段および前記管理情報格納手段間で対応するときは、前記管理情報格納手段に格納された編集管理情報に基づいて、前記読み出し手段により前記記録媒体に記録されたデータを読み出し、前記管理情報が前記情報格納手段および前記管理情報格納手段間で対応しないときは、前記情報格納手段に格納された管理情報に基づいて、前記読み出し手段により前記記録媒体に記録されたデータを読み出すよう構成したことを特徴とする情報処理装置。
【請求項２】
請求項１記載の情報処理装置であって、前記転送処理として前記管理情報格納手段に格納された編集管理情報を前記記録媒体へ書き込む書き込み手段を設けたことを特徴とする情報処理装置。
【請求項３】
請求項１または請求項２記載の情報処理装置により、前記記録媒体に対して、前記データ情報および前記管理情報の転送処理を制御する情報処理方法であって、前記転送処理として、前記読み出し手段により、前記記録媒体から前記データ情報および前記管理情報を読み出す工程と、前記読み出し手段により読み出された前記管理情報を前記情報格納手段および前記管理情報格納手段に格納する工程と、前記ユーザによる前記ユーザ入力手段からの前記編集処理に従って、前記管理情報格納手段から前記管理情報を読み出して編集し、前記転送処理として前記記録媒体からのデータ再生時の再生条件を指示する編集管理情報を生成する工程と、前記ユーザ入力手段によって編集された前記編集管理情報を前記管理情報格納手段へ格納する工程と、前記情報格納手段および前記管理情報格納手段から前記管理情報を読み出し、各管理情報が対応しているかを判断する工程と、前記管理情報が前記情報格納手段および前記管理情報格納手段間で対応するときは、前記管理情報格納手段に格納された編集管理情報に従って前記記録媒体に記録されたデータを読み出す工程と、前記管理情報が前記情報格納手段および前記管理情報格納手段間で対応しないときは、前記情報格納手段に格納された管理情報に従って前記記録媒体に記録されたデータを読み出す工程とを有することを特徴とする情報処理方法。
【請求項４】
請求項３記載の情報処理方法であって、前記転送処理として前記管理情報格納手段に格納された編集管理情報を前記記録媒体へ書き込む工程を有することを特徴とする情報処理方法。
【請求項５】
請求項３記載の情報処理方法であって、前記ユーザによる前記ユーザ入力手段からの前記編集処理に従って、前記管理情報格納手段から前記管理情報を読み出して編集し、複数の前記編集管理情報を生成する工程と、ユーザによる前記ユーザ入力手段からの入力処理に従って、前記管理情報格納手段に格納された複数の編集管理情報から１つを選択する工程と、前記入力処理に従って選択された編集管理情報に従って前記記録媒体に記録されたデータを読み出す工程とを有することを特徴とする情報処理方法。
【請求項６】
請求項５記載の情報処理方法であって、前記入力処理に従って選択された編集管理情報を出力し、書き込み手段を通じて記録媒体に書き込む工程とを有することを特徴とする情報処理方法。
【請求項７】
請求項６記載の情報処理方法であって、前記情報格納手段に格納された管理情報および前記管理情報格納手段に格納された編集管理情報を読み出し、それら管理情報と編集管理情報とを合成する工程と、前記合成された合成管理情報に従って前記記録媒体に記録されたデータを読み出す工程とを有することを特徴とする情報処理方法。
【請求項８】
請求項７記載の情報処理方法であって、前記合成された合成管理情報を書き込み手段を通じて記録媒体に書き込む工程を有することを特徴とする情報処理方法。
【請求項９】
請求項７または請求項８記載の情報処理方法であって、ユーザによる前記ユーザ入力手段からの入力処理に従って、前記管理情報格納手段に格納された複数の編集管理情報から１つ以上を選択する工程と、前記情報格納手段に格納された管理情報および前記入力処理により選択された１つ以上の編集管理情報を合成する工程と、前記合成された合成管理情報に従って前記記録媒体に記録されたデータを読み出す工程とを有することを特徴とする情報処理方法。
【請求項１０】
請求項９記載の情報処理方法であって、前記合成された合成管理情報を書き込み手段を通じて記録媒体に書き込む工程を有することを特徴とする情報処理方法。
【請求項１１】
請求項３記載の情報処理方法であって、前記ユーザによる前記ユーザ入力手段からの設定処理に従って、前記転送処理として前記記録媒体からのデータ再生時の音響特性を決める再生情報を設定する工程と、前記設定された再生情報を前記管理情報格納手段にその管理情報と関連付けて格納する工程と、前記管理情報が前記情報格納手段および前記管理情報格納手段間で対応するときは、前記編集管理情報に従って前記記録媒体に記録されたデータを読み出し、前記管理情報格納手段から当該管理情報と関連付けて再生情報を読み出して、その再生情報に従って前記記録媒体から読み出されたデータを再生する工程と、前記管理情報が前記情報格納手段および前記管理情報格納手段間で対応しないときは、前記管理情報に従って前記記録媒体に記録されたデータを読み出し、予め設定された再生情報に従って前記記録媒体から読み出されたデータを再生する工程とを有することを特徴とする情報処理方法。
【発明の詳細な説明】
【０００１】
【発明の属する技術分野】
本発明は、音楽データなどのデータ情報とこれらのデータを管理する管理情報とが分けて記録される記録媒体に対して、それら情報の転送処理を制御する情報処理装置および情報処理方法に関するものである。
【０００２】
【従来の技術】
従来から、情報処理装置として特にＣＤプレーヤやＭＤプレーヤなどのオーディオ機器において、広く利用されているミニディスク（ＭＤ）やコンパクトディスク（ＣＤ）では、音楽データ（以下、トラックと記す）などのデータ情報と、これらデータを管理するための管理情報（ＴＯＣ：Ｔａｂｌｅ  Ｏｆ  Ｃｏｎｔｅｎｔｓ）とが、別々に分けて記録されており、このように記録されているトラック情報は、ともに記録されている管理情報（以下、ＴＯＣと記す）に従ってディスクから読み出された後、必要な信号処理が施され、例えば音響信号として再生される。
【０００３】
また、ＭＤには、再生専用の光ディスク（ＰｒｅｍａｓｔｅｒｅｄＭＤ）の他に、記録と再生を行うことができる光磁気ディスク（ＲｅｃｏｒｄａｂｌｅＭＤ）があり、その情報処理方法では、ユーザが記録したディスクのトラック情報は、ユーザ管理情報（以下、ＵＴＯＣと記す）として記録される。
【０００４】
このＵＴＯＣに記録されたトラックの情報を書き換えることによって、トラックの分割（一つのトラックを複数のトラックに分ける）、結合（複数のトラックを１つのトラックにする）、消去、追加、移動などの編集を自由に行うことができ、このように編集が自由なことがＭＤの特徴の１つとなっている。
【０００５】
しかし、情報処理装置として、再生専用の装置であるＣＤプレーヤ及び再生専用のＭＤプレーヤにおいては、ＴＯＣ（ＵＴＯＣ）を書き換えることができないため、上記のような編集を行うことができない。これに対し、編集したトラックの管理情報を専用の内部メモリに書き込む再生装置（例えば、特許文献１参照）が提供されている。
【０００６】
この再生装置では、図９に示すように、着脱可能な記録媒体Ｋ９であるディスク（例えば、ＭＤ）に記録されたＴＯＣ（ＵＴＯＣ）を編集する場合には、記録媒体Ｋ９であるディスク上で当該ＴＯＣ（ＵＴＯＣ）を直接書き換えることはせずに、まず制御手段３５からの制御で、読み出し手段３１により記録媒体Ｋ９から当該ＴＯＣ（ＵＴＯＣ）を読み出して情報格納手段３２に一旦格納し、次に、ユーザがユーザ入力手段３３から入力した編集処理に従って、制御手段３５からの制御で、情報格納手段３２に格納された当該ＴＯＣ（ＵＴＯＣ）を読み出して、装置内に備えられた機器専用の内部メモリ（管理情報格納手段）３４を用いて、その内部メモリ３４上に編集しようとする当該ＴＯＣ（ＵＴＯＣ）を格納し、その当該ＴＯＣ（ＵＴＯＣ）に対して編集するようにしている。
【０００７】
そして、記録媒体Ｋ９に記録されたデータ情報を再生する場合には、内部メモリ３４上の編集管理情報に従って、制御手段３５からの制御で、読み出し手段３１により記録媒体Ｋ９から音楽データなどの情報を読み出した後、必要な信号処理を施し、例えば音響信号として再生出力される。
【０００８】
この情報処理方法によって、再生専用のＣＤプレーヤやＭＤプレーヤにおいても、トラック管理情報の編集を可能にしている。
【０００９】
【特許文献１】
特開平９−１４７５３１号公報
【００１０】
【発明が解決しようとする課題】
しかしながら上記のような従来の情報処理装置および情報処理方法では、編集したトラックの管理情報を、再生装置に予め備えられた機器専用の内部メモリ３４に書き込むため、編集された結果は、その編集を行った再生装置でのみしか反映されない。
【００１１】
そのため、せっかく編集した記録媒体（ディスク）Ｋ９を他の再生装置で再生する場合には、ディスクＫ９に元から記録されているＴＯＣ（ＵＴＯＣ）に従ってしか、ディスクＫ９が再生できないという問題点を有していた。
【００１２】
本発明は、上記従来の問題点を解決するもので、ディスクに記録されたＴＯＣ（またはＵＴＯＣ）を書き換えずに、ＣＤプレーヤや再生専用のＭＤプレーヤにおいても、トラック情報を編集することができるとともに、その編集を行った装置だけでなく、他の装置においても、ＴＯＣを編集した内容に従って再生することができる情報処理装置および情報処理方法を提供する。
【００１３】
【課題を解決するための手段】
上記の課題を解決するために、本発明の請求項１記載の情報処理装置は、データの情報とそのデータのトラックを管理するための管理情報とが分けて記録され着脱可能な構造の記録媒体に対して、前記データ情報および前記管理情報の転送処理を制御する情報処理装置において、前記転送処理として、前記記録媒体から前記データ情報および前記管理情報を読み出す読み出し手段と、前記読み出し手段によって読み出した前記管理情報を格納する情報格納手段と、ユーザが前記管理情報を編集して前記転送処理として前記記録媒体からのデータ再生時の再生条件を指示する編集管理情報を得るための編集処理を入力するユーザ入力手段と、前記読み出し手段によって読み出した前記管理情報、および前記ユーザ入力手段からの前記編集処理により得られた前記編集管理情報を格納する着脱可能な構造の管理情報格納手段と、前記情報格納手段および前記管理情報格納手段に格納された各管理情報の対応により、前記情報格納手段に格納された管理情報あるいは前記管理情報格納手段に格納された編集管理情報に従って、前記読み出し手段による前記データの読み出し、およびその読み出しデータの出力を制御する制御手段とを備え、前記制御手段は、前記管理情報が前記情報格納手段および前記管理情報格納手段間で対応するときは、前記管理情報格納手段に格納された編集管理情報に基づいて、前記読み出し手段により前記記録媒体に記録されたデータを読み出し、前記管理情報が前記情報格納手段および前記管理情報格納手段間で対応しないときは、前記情報格納手段に格納された管理情報に基づいて、前記読み出し手段により前記記録媒体に記録されたデータを読み出すよう構成したことを特徴とする。
【００１４】
また、本発明の請求項３記載の情報処理方法は、請求項１または請求項２記載の情報処理装置により、前記記録媒体に対して、前記データ情報および前記管理情報の転送処理を制御する情報処理方法であって、前記転送処理として、前記読み出し手段により、前記記録媒体から前記データ情報および前記管理情報を読み出す工程と、前記読み出し手段により読み出された前記管理情報を前記情報格納手段および前記管理情報格納手段に格納する工程と、前記ユーザによる前記ユーザ入力手段からの前記編集処理に従って、前記管理情報格納手段から前記管理情報を読み出して編集し、前記転送処理として前記記録媒体からのデータ再生時の再生条件を指示する編集管理情報を生成する工程と、前記ユーザ入力手段によって編集された前記編集管理情報を前記管理情報格納手段へ格納する工程と、前記情報格納手段および前記管理情報格納手段から前記管理情報を読み出し、各管理情報が対応しているかを判断する工程と、前記管理情報が前記情報格納手段および前記管理情報格納手段間で対応するときは、前記管理情報格納手段に格納された編集管理情報に従って前記記録媒体に記録されたデータを読み出す工程と、前記管理情報が前記情報格納手段および前記管理情報格納手段間で対応しないときは、前記情報格納手段に格納された管理情報に従って前記記録媒体に記録されたデータを読み出す工程とを有する方法としたことを特徴とする。
【００１５】
以上により、ユーザが記録媒体の管理情報を編集した場合には、その編集管理情報を着脱可能な管理情報格納手段上に格納することにより、記録媒体上の管理情報を書き換えることなく、または記録媒体上の管理情報を書き換えることができない場合でも、編集管理情報の内容に従って再生することができる。
【００１６】
また、本発明の請求項２記載の情報処理装置は、請求項１記載の情報処理装置であって、前記転送処理として前記管理情報格納手段に格納された編集管理情報を前記記録媒体へ書き込む書き込み手段を設けた構成としたことを特徴とする。
【００１７】
また、本発明の請求項４記載の情報処理方法は、請求項３記載の情報処理方法であって、前記転送処理として前記管理情報格納手段に格納された編集管理情報を前記記録媒体へ書き込む工程を有する方法としたことを特徴とする。
【００１８】
以上により、着脱可能な管理情報格納手段上に格納している編集管理情報を用いて、記録媒体上の管理情報を直接書き換えることにより、着脱可能な管理情報格納手段へのアクセス手段を持たない他の機器でも、記録媒体上の管理情報に従って再生することができる。
【００１９】
また、本発明の請求項５記載の情報処理方法は、請求項３記載の情報処理方法であって、前記ユーザによる前記ユーザ入力手段からの前記編集処理に従って、前記管理情報格納手段から前記管理情報を読み出して編集し、複数の前記編集管理情報を生成する工程と、ユーザによる前記ユーザ入力手段からの入力処理に従って、前記管理情報格納手段に格納された複数の編集管理情報から１つを選択する工程と、前記入力処理に従って選択された編集管理情報に従って前記記録媒体に記録されたデータを読み出す工程とを有する方法としたことを特徴とする。
【００２０】
以上により、ユーザが記録媒体および着脱可能な管理情報格納手段上に格納している複数の編集管理情報から１つを選択することにより、その編集管理情報に従った曲順、曲数で再生することができる。
【００２１】
また、本発明の請求項６記載の情報処理方法は、請求項５記載の情報処理方法であって、前記入力処理に従って選択された編集管理情報を出力し、書き込み手段を通じて記録媒体に書き込む工程とを有する方法としたことを特徴とする。
【００２２】
以上により、着脱可能な管理情報格納手段上に格納している複数の編集管理情報から１つを選択し、その編集管理情報を用いて記録媒体上の管理情報を書き換えることにより、着脱可能な管理情報格納手段へのアクセス手段を持たない他の機器でも、記録媒体上の管理情報に従って再生することができる。
【００２３】
また、本発明の請求項７記載の情報処理方法は、請求項６記載の情報処理方法であって、前記情報格納手段に格納された管理情報および前記管理情報格納手段に格納された編集管理情報を読み出し、それら管理情報と編集管理情報とを合成する工程と、前記合成された合成管理情報に従って前記記録媒体に記録されたデータを読み出す工程とを有する方法としたことを特徴とする。
【００２４】
また、本発明の請求項８記載の情報処理方法は、請求項７記載の情報処理方法であって、前記合成された合成管理情報を書き込み手段を通じて記録媒体に書き込む工程を有する方法としたことを特徴とする。
【００２５】
以上により、着脱可能な管理情報格納手段内には、その各編集管理情報として、記録媒体上の管理情報に対応する情報格納手段内の管理情報と同一部分は持つ必要が無く、編集による管理情報からの変更点だけを持てばいいので、着脱可能な管理情報格納手段上の編集管理情報のデータ容量を節約することができる。
【００２６】
また、本発明の請求項９記載の情報処理方法は、請求項７または請求項８記載の情報処理方法であって、ユーザによる前記ユーザ入力手段からの入力処理に従って、前記管理情報格納手段に格納された複数の編集管理情報から１つ以上を選択する工程と、前記情報格納手段に格納された管理情報および前記入力処理により選択された１つ以上の編集管理情報を合成する工程と、前記合成された合成管理情報に従って前記記録媒体に記録されたデータを読み出す工程とを有する方法としたことを特徴とする。
【００２７】
また、本発明の請求項１０記載の情報処理方法は、請求項９記載の情報処理方法であって、前記合成された合成管理情報を書き込み手段を通じて記録媒体に書き込む工程を有する方法としたことを特徴とする。
【００２８】
以上により、着脱可能な管理情報格納手段内には、その各編集管理情報として、記録媒体上の管理情報に対応する情報格納手段内の管理情報と同一部分は持つ必要が無く、編集による管理情報からの変更点だけを着脱可能な管理情報格納手段上に複数に分けて格納し、それらの管理情報からの変更点を複数選択して組み合わせることによって、内容の異なる多くの編集管理情報を着脱可能な管理情報格納手段の容量を節約しつつ作成することができる。
【００２９】
また、本発明の請求項１１記載の情報処理方法は、請求項３記載の情報処理方法であって、前記ユーザによる前記ユーザ入力手段からの設定処理に従って、前記転送処理として前記記録媒体からのデータ再生時の音響特性を決める再生情報を設定する工程と、前記設定された再生情報を前記管理情報格納手段にその管理情報と関連付けて格納する工程と、前記管理情報が前記情報格納手段および前記管理情報格納手段間で対応するときは、前記編集管理情報に従って前記記録媒体に記録されたデータを読み出し、前記管理情報格納手段から当該管理情報と関連付けて再生情報を読み出して、その再生情報に従って前記記録媒体から読み出されたデータを再生する工程と、前記管理情報が前記情報格納手段および前記管理情報格納手段間で対応しないときは、前記管理情報に従って前記記録媒体に記録されたデータを読み出し、予め設定された再生情報に従って前記記録媒体から読み出されたデータを再生する工程とを有する方法としたことを特徴とする。
【００３０】
以上により、着脱可能な管理情報格納手段上に記録媒体の再生時の音響特性である再生情報を格納しておき、記録媒体の再生時に、着脱可能な管理情報格納手段から再生情報を読み出すことにより、ユーザは常に、記録媒体からデータを再生情報に従って再生することができる。
【００３１】
【発明の実施の形態】
以下、本発明の実施の形態を示す情報処理装置および情報処理方法について、図面を参照しながら説明する。
【００３２】
まず、基本的な構成および方法について説明する。
本実施の形態の情報処理装置として、データの情報とそのデータのトラックを管理するための管理情報とが分けて記録され着脱可能な構造の記録媒体に対して、前記データ情報および前記管理情報の転送処理を制御する情報処理装置において、前記転送処理として、前記記録媒体から前記データ情報および前記管理情報を読み出す読み出し手段と、前記読み出し手段によって読み出した前記管理情報を格納する情報格納手段と、ユーザが前記管理情報を編集して前記転送処理として前記記録媒体からのデータ再生時の再生条件を指示する編集管理情報を得るための編集処理を入力するユーザ入力手段と、前記読み出し手段によって読み出した前記管理情報、および前記ユーザ入力手段からの前記編集処理により得られた前記編集管理情報を格納する着脱可能な構造の管理情報格納手段と、前記情報格納手段および前記管理情報格納手段に格納された各管理情報の対応により、前記情報格納手段に格納された管理情報あるいは前記管理情報格納手段に格納された編集管理情報に従って、前記読み出し手段による前記データの読み出し、およびその読み出しデータの出力を制御する制御手段とを備た情報処理装置を用いる。
【００３３】
この装置を用いて、前記記録媒体に対して、前記データ情報および前記管理情報の転送処理を制御する情報処理方法であって、前記転送処理として、前記読み出し手段により、前記記録媒体から前記データ情報および前記管理情報を読み出す工程と、前記読み出し手段により読み出された前記管理情報を前記情報格納手段および前記管理情報格納手段に格納する工程と、前記ユーザによる前記ユーザ入力手段からの前記編集処理に従って、前記管理情報格納手段から前記管理情報を読み出して編集し、前記転送処理として前記記録媒体からのデータ再生時の再生条件を指示する編集管理情報を生成する工程と、前記ユーザ入力手段によって編集された前記編集管理情報を前記管理情報格納手段へ格納する工程と、前記情報格納手段および前記管理情報格納手段から前記管理情報を読み出し、各管理情報が対応しているかを判断する工程と、前記管理情報が前記情報格納手段および前記管理情報格納手段間で対応するときは、前記管理情報格納手段に格納された編集管理情報に従って前記記録媒体に記録されたデータを読み出す工程と、前記管理情報が前記情報格納手段および前記管理情報格納手段間で対応しないときは、前記情報格納手段に格納された管理情報に従って前記記録媒体に記録されたデータを読み出す工程とを有するものである。
【００３４】
以上により、ユーザは、記録されている管理情報のＴＯＣは直接書き換えることなく着脱可能な構造の管理情報格納手段である外部メモリ上で編集した記録媒体であるディスクと、そのデータ（トラック）の管理情報を編集した編集管理情報を記録した外部メモリがあれば、その編集管理情報の内容に従って、ディスクからそのデータを再生することが可能となる。
【００３５】
しかしながら、上記の方法では、ユーザが編集した編集管理情報は、外部メモリ上にのみ格納されているため、このような外部メモリへのアクセス手段を備えていない他の機器では、記録媒体上の管理情報でしか再生できない。
【００３６】
そこで次に、本実施の形態の情報処理装置として、さらに、前記管理情報格納手段に格納された編集管理情報を前記記録媒体へ書き込む転送処理を行う書き込み手段を備えた情報処理装置を用いる。
【００３７】
この装置を用いて、転送処理として、前記管理情報格納手段に格納された編集管理情報を前記記録媒体へ書き込む工程を有するものである。
以上により、ユーザは、記録媒体であるディスク（ただしＣＤなど再生専用の媒体は除く）の管理情報を、外部メモリ上で編集した編集管理情報の内容で書き換えることによって、外部メモリへのアクセス手段を有していない機器でも、編集した管理情報の内容に従って、ディスクからそのデータを再生することが可能となる。
【００３８】
また、記録媒体であるディスク（ただしＣＤなど再生専用の媒体は除く）の管理情報を書き換える前に、記録媒体上の管理情報を外部メモリへ格納しておくことにより、外部メモリ上の管理情報を基に、記録媒体の管理情報を元に戻すことができる。
【００３９】
以下、具体的な構成および方法について説明する。
（実施の形態１）
本発明の実施の形態１の情報処理装置および情報処理方法を、再生装置を例に挙げて説明する。
【００４０】
図１は本実施の形態１の情報処理装置の一例である再生装置の構成を示すブロック図である。図１において、１１はデータ情報とそのデータを管理する管理情報とをもつ記録媒体Ｋ１から、それらのデータおよび管理情報を読み出す読み出し手段、１２は読み出し手段１１により読み出された管理情報を格納する情報格納手段、１３は読み出し手段１１により読み出された管理情報に対して、ユーザが編集処理するためのユーザ入力手段、１４は読み出し手段１１によって記録媒体Ｋ１から読み出された管理情報、およびその管理情報とは別に、ユーザ入力手段１３または外部装置Ｇ１により作成処理または編集処理された管理情報を格納する着脱可能な構造の管理情報格納手段である外部メモリ、１５は情報格納手段１２および外部メモリ１４に格納された管理情報を解析し、その解析結果に応じて、記録媒体Ｋ１からのデータの出力再生を制御する制御手段である。
【００４１】
以上のような再生装置について、その情報処理方法を図面を参照しながら、以下に説明する。
図３は本実施の形態１の情報処理装置における情報処理方法のアルゴリズムを示すフローチャートである。
【００４２】
まず編集処理の各ステップを説明する。データ情報とそのデータを管理する管理情報をもつ記録媒体Ｋ１から読み出し手段１１によって読み出された管理情報は、制御手段１５を介して、情報格納手段１２と外部メモリ１４に格納される（ステップ１１：以下、「Ｓ１１」と表記する）。制御手段１５は、情報格納手段１２に格納された管理情報（場合によっては、外部メモリ１４に格納された編集管理情報）を読み出す（Ｓ１２）。制御手段１５で読み出された管理情報（場合によっては編集管理情報）は、ユーザ入力手段１３によって編集処理（トラックの分割・結合・移動・削除など）される（Ｓ１３）。編集された管理情報（以下、編集管理情報と記す）は、制御手段１５によって、外部メモリ１４に格納される（Ｓ１４）。
【００４３】
次に、再生処理の各ステップを説明する。制御手段１５は、情報格納手段１２と外部メモリ１４から管理情報を読み出す（Ｓ１５）。制御手段１５は、両方から読み出した管理情報が一致しているかどうか比較し、一致していれば（Ｓ１６のＹｅｓ）、外部メモリ１４から編集管理情報を読み出す（Ｓ１７）。制御手段１５は、読み出された編集管理情報に従って、データの出力（トラックの再生）を行う（Ｓ１８）。一方、一致していない場合（Ｓ１６のＮｏ）は、情報格納手段１２から読み出された管理情報に従って、データの出力（トラックの再生）を行う（Ｓ１９）。
【００４４】
以上のように、記録媒体の管理情報はそのままで、その管理情報に対して、トラックの分割・結合・移動・削除などの編集処理を施した編集管理情報を、外部メモリ上に格納することによって、編集を行った再生装置だけでなく、外部メモリへのアクセス手段を有する他の再生装置においても、編集した管理情報の内容に従って再生することができるようになる。
【００４５】
また、記録媒体自体の管理情報はそのままなので、書き換えのできない記録媒体であるＣＤなどの再生においても、同様の効果を得ることができる。
なお、上記の説明では、記録媒体として書き換えが不可能な再生専用の記録媒体を用いた場合の動作を説明したが、この動作は、記録媒体として書き換えが可能な記録媒体を用いた場合にも、同様に実施可能であり、この場合は、制御手段１５により編集管理情報を記録媒体へ書き込むことが可能である。
（実施の形態２）
本発明の実施の形態２の情報処理装置および情報処理方法を、記録再生装置を例に挙げて説明する。
【００４６】
図２は本実施の形態２の情報処理装置の一例である記録再生装置の構成を示すブロック図である。図２において、２１はデータ情報とそのデータを管理する管理情報とをもつ記録媒体Ｋ２から、それらのデータおよび管理情報を読み出す読み出し手段、２２は読み出し手段２１により読み出された管理情報を格納する情報格納手段、２３は読み出し手段２１により読み出された管理情報に対して、ユーザが編集処理するためのユーザ入力手段、２４は読み出し手段２１により記録媒体Ｋ２から読み出された管理情報、およびその管理情報とは別に、ユーザ入力手段２３または外部装置Ｇ２により作成処理または編集処理された管理情報を格納する着脱可能な構造の管理情報格納手段である外部メモリ、２５は情報格納手段２２および外部メモリ２４に格納された管理情報を解析し、その解析結果に応じて、データおよび管理情報の転送処理を制御する制御手段、２６は制御手段２５から出力された管理情報を記録媒体Ｋ２へ書き込む書き込み手段である。
【００４７】
以上のような記録再生装置について、その情報処理方法を図面を参照しながら、以下に説明する。
図４は本実施の形態２の情報処理装置における情報処理方法のアルゴリズムを示すフローチャートである。まず図４に示すように、編集処理の各ステップ（Ｓ２１〜Ｓ２４）は、上記実施の形態１での編集処理の各ステップ（Ｓ１１〜Ｓ１４）と同様であるので、ここでの説明は省略する。
【００４８】
次に、記録処理の各ステップを説明する。制御手段２５は、情報格納手段２２と外部メモリ２４から管理情報を読み出す（Ｓ２５）。制御手段２５は、両方から読み出した管理情報が一致しているかどうか比較し、一致していれば（Ｓ２６のＹｅｓ）、外部メモリ２４から編集管理情報を読み出す（Ｓ２７）。制御手段２５は、読み出された編集管理情報を記録媒体Ｋ２へ書き込む（Ｓ２８）。一方、一致していない場合（Ｓ２６のＮｏ）は、この記録処理を終了する。
【００４９】
以上のように、外部メモリ上の編集管理情報を記録媒体に書き込むことによって、外部メモリへのアクセス手段を有する再生装置だけでなく、外部メモリへのアクセス手段を持たない再生装置でも、編集した管理情報の内容に従って再生することができるようになる。
【００５０】
また、記録媒体上の管理情報を直接書き換えた場合でも、書き換える前の管理情報を外部メモリ上に格納しておくことで、記録媒体上の管理情報を元に戻すことができる。
（実施の形態３）
本発明の実施の形態３の情報処理装置および情報処理方法を説明する。ここでは、本実施の形態３の情報処理装置の一例である再生装置について、そのデータ再生動作を図面を用いて以下に説明する。なお、構成については、図１の再生装置と同様であるので、ここでの説明は省略する。
【００５１】
図５は本実施の形態３の情報処理装置の一例である再生装置における情報処理方法を示すフローチャートである。
まず編集処理の各ステップを説明する。データ情報とそのデータを管理する管理情報をもつ記録媒体Ｋ１から読み出し手段１１によって読み出された管理情報は、制御手段１５を介して、情報格納手段１２と外部メモリ１４に格納される（Ｓ３１）。制御手段１５は、情報格納手段１２に格納された管理情報（場合によっては、外部メモリ１４に格納された編集管理情報）を読み出す（Ｓ３２）。制御手段１５で読み出された管理情報（場合によっては編集管理情報）は、ユーザ入力手段１３によって編集処理（トラックの分割・結合・移動・削除など）される（Ｓ３３）。編集された管理情報（以下、編集管理情報と記す）は、制御手段１５によって、外部メモリ１４へその管理情報に関連付けて格納される（Ｓ３４）。
【００５２】
ここで、外部メモリ１４への編集管理情報の格納方法について、図面を用いて説明する。
図６は本実施の形態３の情報処理装置における外部メモリ上でのデータ格納例１を示す概念図である。図６において、６１は記録媒体（ＣＤやＭＤ等の書き換え可能あるいは書き換え不可のディスク）Ｋ１上に記録されていたオリジナルの管理情報（１）と同一の外部メモリ１４上のデータ、６２は外部メモリ１４上で、ユーザ入力手段１３または外部装置Ｇ１によって、管理情報（１）６１に関連付けて編集された編集管理情報（１１）〜（１５）、６３は記録媒体Ｋ１上に記録されていたオリジナルの管理情報（２）と同一の外部メモリ上のデータ、６４は外部メモリ１４上で、ユーザ入力手段１３または外部装置Ｇ１によって、管理情報（２）６３に関連付けて編集された編集管理情報（２１）〜（２５）である。
【００５３】
このような外部メモリ１４において、記録媒体Ｋ１として、再生専用の記録媒体または再生専用の情報処理装置内の記録媒体の管理情報を編集処理する場合の手順を、以下に説明する。なお、外部メモリ１４には、予め記録媒体Ｋ１上の管理情報との一致を確認するための管理情報が格納されているものとする。
【００５４】
この場合は、図６に示すように、まず、外部メモリ１４上で、記録媒体Ｋ１上に記録されている管理情報と一致している管理情報（例えば、管理情報（１）６１）を探す。次に、ユーザが、当該管理情報（１）６１に対してユーザ入力手段１３または外部装置Ｇ１によって編集処理した例えば編集管理情報（１１）６２を、当該管理情報（１）６１に関連付けて、外部メモリ１４上に格納する。さらに管理情報（１）６１に対し編集処理して編集管理情報６２を作成する場合は、上記と同様の手順により、例えば編集管理情報（１２）６２を作成し、当該管理情報（１）６１に関連付けて、外部メモリ１４上に格納する。以上の手順を繰返して、ユーザによる編集処理で新に得られた複数の編集管理情報（例えば編集管理情報（１１）〜（１５））６２を当該管理情報（１）６１に関連付けて格納する。
【００５５】
以上のように、着脱可能な外部メモリ１４に複数の管理情報および編集管理情報を格納することによって、この外部メモリ１４を用いれば、複数の異なる記録媒体に対して、それぞれ複数の異なる編集管理情報を対応させることが可能となる。
【００５６】
次に、再生処理の各ステップを説明する。制御手段１５は、情報格納手段１２と外部メモリ１４から管理情報を読み出す（Ｓ３５）。制御手段１５は、両方から読み出した管理情報が一致しているかどうか比較し、一致していれば（Ｓ３６のＹｅｓ）、外部メモリ１４から関連付けされた全編集管理情報を読み出す（Ｓ３７）。制御手段１５は、外部メモリ１４から読み出された全編集管理情報から、ユーザ入力手段１３によって１つ選択された場合（Ｓ３８）に、選択された編集管理情報に従って、データの出力（トラックの再生）を行う（Ｓ３９）。一方、一致していない場合（Ｓ３６のＮｏ）は、情報格納手段１２から読み出された管理情報に従って、データの出力（トラックの再生）を行う（Ｓ４０）。
【００５７】
以上のように、記録媒体の管理情報はそのままで、その管理情報に対して編集（トラックの分割・結合・移動・削除など）した複数の編集管理情報を、着脱可能な外部メモリ上に格納することによって、ユーザが選択した編集管理情報の内容に従って、いろいろな再生パターン（プレイリスト）で再生することができる。
【００５８】
なお、以上の説明では、ユーザはユーザ入力手段で１つだけの編集管理情報を選択する場合を例に説明しているが、制御手段１５が、外部メモリ１４から読み出した編集管理情報の中から複数の編集管理情報を選択することもできる。
【００５９】
この場合、制御手段１５は選択された複数の編集管理情報（以下、複数編集管理情報）と情報格納手段から読み出された管理情報を合成し、制御手段１５は、この合成された複数編集管理情報に従って、データの出力（トラックの再生）を行う。
【００６０】
以上のように、複数の管理情報を合成することにより、管理情報格納手段内には、その各編集管理情報として、記録媒体上の管理情報に対応する情報格納手段内の管理情報と同一部分は持つ必要が無く、編集による管理情報からの変更点だけを持てばいいので、着脱可能な外部メモリ上の編集管理情報のデータ容量を小さくでき、外部メモリを効率的に使用できる。
【００６１】
また、複数の編集管理情報を組み合わせることによって、さらに多くの編集管理情報を合成し作成することができるので、より一層の多彩な再生パターンで再生することができる。
【００６２】
また、上記の説明では、記録媒体として書き換えが不可能な再生専用の記録媒体を用いた場合の動作を説明したが、この動作は、記録媒体として書き換えが可能な記録媒体を用いた場合にも、同様に実施可能であり、この場合は、制御手段１５で合成された複数の編集管理情報を記録媒体へ書き込むことが可能である。
【００６３】
このように、書き換え可能な記録媒体へ編集管理情報を書き込んだ場合に、外部メモリ１４への管理情報および編集管理情報の格納方法について、図面を用いて以下に説明する。
【００６４】
図７は本実施の形態３の情報処理装置における外部メモリ上でのデータ格納例２を示す概念図である。なお、外部メモリには、予め記録媒体上の管理情報との一致を確認するための管理情報が格納されているものとする。また、この場合の構成については、図２の記録再生装置を用いて説明する。
【００６５】
図７において、７１は記録媒体（ＭＤやＣＤ−ＲＷ等の書き換え可能なディスク）Ｋ２上に記録されていたオリジナルの管理情報（１）と同一の外部メモリ２４上のデータ、７２は記録媒体Ｋ２上で書き換える予定の管理情報（１）と同一のデータを編集して追加した編集管理情報（１３）、７３は管理情報（１）７１の代わりに、追加した編集管理情報（１３）７２を移動させて格納したデータ、７４は編集管理情報（１３）７２の代わりに、管理情報（１）７１を移動させて格納したデータである。
【００６６】
この場合は、図７に示すように、まず、外部メモリ２４上で、記録媒体Ｋ２上に記録されている管理情報と一致している管理情報（例えば、管理情報（１））を探す。次に、外部メモリ２４上で、編集処理により、記録媒体Ｋ２上の管理情報（１）と同一のデータを編集し、編集管理情報（１３）７２として追加することにより、管理情報（１）７１を更新する。ここで、記録媒体Ｋ２上の管理情報（１）を、外部メモリ２４上の編集管理情報（１３）７２と同一のデータに書き換え、その後に、外部メモリ２４上で、管理情報（１）７１の代わりに編集管理情報（１３）７２を移動して、記録媒体Ｋ２上で書き換えた最新の管理情報と同一の編集管理情報（１３）７３として格納する。そして、編集管理情報（１３）７２の代わりに、管理情報（１）７１を移動させて管理情報（１）７４として格納する。以上のように、外部メモリ２４上で、追加書き込みした編集管理情報（１３）と元の管理情報（１）の格納場所を入れ替えておく。
【００６７】
このようにすることによって、次回、記録媒体の書き換えた管理情報を元に戻す場合に、管理情報格納手段１４内の元の管理情報データを使用することが可能となる。
【００６８】
以上のようにして、記録媒体上の管理情報を書き換えた場合には、外部メモリ上のオリジナル対応の管理情報は残した状態で編集管理情報として新に追加更新しておくことにより、記録媒体上で書き換えた管理情報を元に戻す場合にも、外部メモリで、記録媒体上の最新の管理情報と同一データを検索可能なようにしておくことができる。
【００６９】
これにより、最新の管理情報に対応するオリジナルの管理情報も得ることができ、このオリジナルの管理情報を用いて、記録媒体の管理情報を書き換えることができる。
（実施の形態４）
本発明の実施の形態４の情報処理装置および情報処理方法を、再生装置を例に挙げて説明する。
【００７０】
図８は本実施の形態４の情報処理装置の一例である再生装置における情報処理方法を示すフローチャートである。なお、構成については、図１の再生装置と同様であるので、ここでの説明は省略する。
【００７１】
まず編集処理の各ステップを説明する。データ情報とそのデータを管理する管理情報をもつ記録媒体Ｋ１から読み出し手段１１によって読み出された管理情報は、制御手段１５を介して、情報格納手段１２と外部メモリ１４に格納される（Ｓ４１）。ユーザ入力手段１３によって、再生時の音響特性を決定するための再生情報（例えば、トラック毎の音量や音質、サラウンド効果、再生速度など）（場合によっては、制御手段１５が外部メモリ１４から読み出した再生情報）を設定する（Ｓ４２）。設定された再生情報は、制御手段１５によって外部メモリ１４に管理情報に関連付けて格納される（Ｓ４３）。
【００７２】
次に再生処理の各ステップを説明する。制御手段１５は、情報格納手段１２と外部メモリ１４から管理情報を読み出す（Ｓ４４）。制御手段１５は、両方から読み出した管理情報が一致しているかどうか比較し、一致していれば（Ｓ４５のＹｅｓ）、外部メモリ１４から管理情報に関連付けされた再生情報を読み出し（Ｓ４６）、その再生情報に従って、記録媒体Ｋ１からデータを出力して再生する（Ｓ４７）。一方、一致していない場合（Ｓ４５のＮｏ）は、制御手段１５は、ユーザがユーザ入力手段１３を通じて予め機器に設定した再生情報で、記録媒体Ｋ１からデータを出力して再生する（Ｓ４８）。
【００７３】
以上のように、記録媒体の管理情報に関連付けて再生情報（例えば、トラック毎の音量や音質、サラウンド効果、再生速度など）を着脱可能な外部メモリ上に格納することにより、再生情報の設定を行った再生装置だけでなく、外部メモリへのアクセス手段を有する他の再生装置においても、設定した再生情報に従って再生可能なようにすることができる。
【００７４】
なお、以上の説明では、管理情報に関連付けて外部メモリに格納される再生情報は１つとしているが、複数の再生情報を、管理情報に関連付けて外部メモリに格納し、ユーザ入力手段によって選択するようにすることも可能である。
【００７５】
また、以上の説明では、再生情報として、トラック毎の音量や音質、サラウンド効果、再生速度などを例に説明しているが、トラック毎の関連情報として、トラックのタイトルや歌詞およびその説明文、または英語音声のテキスト表示など管理情報に格納されない、または格納しきれない情報を格納する場合にも、適用することができる。
【００７６】
【発明の効果】
以上のように本発明によれば、記録媒体上の管理情報はそのままで、その管理情報に対してトラックの分割・結合・移動・削除などの編集を施した編集管理情報を、記録媒体とは別の着脱可能な構造の管理情報格納手段上に格納することができる。
【００７７】
そのため、ユーザは記録媒体と編集管理情報を格納した着脱可能な管理情報格納手段とを一緒に持ち運ぶことで、編集を行った装置だけでなく、着脱可能な管理情報格納手段へのアクセス手段を有しておれば他の装置でも、編集管理情報の内容に従って、記録媒体からデータを再生することができる。
【００７８】
また、記録媒体自体の管理情報はそのままであるため、書き換え可能な記録媒体だけでなく、書き換えのできない再生専用の記録媒体の再生においても、上記の効果を得ることができる。
【００７９】
また、記録媒体として書き換え可能なものを用いることにより、着脱可能な管理情報格納手段上の編集管理情報を、書き込み手段により記録媒体に書き込むことができる。
【００８０】
そのため、着脱可能な管理情報格納手段へのアクセス手段を有する装置だけでなく、着脱可能な管理情報格納手段へのアクセス手段を持たない装置でも、編集管理情報の内容に従って、記録媒体からデータを再生することができる。
【００８１】
また、記録媒体上の管理情報を書き換えた場合でも、書き換える前の管理情報を着脱可能な管理情報格納手段上に格納しておくことができ、管理情報格納手段上に格納した書き換える前の管理情報を用いて、記録媒体上の書き換えた管理情報を元に戻すことができる。
【００８２】
また、複数の管理情報を合成することにより、管理情報格納手段内には、その各編集管理情報として、記録媒体上の管理情報に対応する情報格納手段内の管理情報と同一部分は持つ必要が無く、編集による管理情報からの変更点だけを持てばいいので、着脱可能な管理情報格納手段上の編集管理情報のデータ容量を小さくでき、メモリを効率的に使用することができる。
【００８３】
また、ユーザが複数の編集管理情報を組み合わせることによって、さらに多くの編集管理情報を合成し作成することができ、記録媒体からデータをより一層多彩な再生パターンで再生することができる。
【００８４】
さらに、記録媒体の管理情報に関連付けて、再生時の音響特性として、トラック毎の音量や音質、サラウンド効果、再生速度などの再生情報を、着脱可能な管理情報格納手段上に格納することができる。
【００８５】
そのため、ユーザは記録媒体と編集管理情報を格納した着脱可能な管理情報格納手段とを一緒に持ち運ぶことで、再生情報の設定を行った装置だけでなく、着脱可能な管理情報格納手段へのアクセス手段を有しておれば他の装置でも、設定した再生情報に従って、記録媒体からデータを再生することができる。
【００８６】
また、複数の再生情報として場所、時間、周囲の環境に応じた様々な再生情報を、管理情報に関連付けて、着脱可能な管理情報格納手段上に格納し、それらをユーザが選択することで、場所、時間、周囲の環境に応じた様々な再生環境を得ることができる。
【００８７】
また、再生情報以外にも、トラック毎の関連情報として、トラックのタイトルや歌詞およびその説明文、または英語音声のテキスト表示なども、着脱可能な管理情報格納手段上に格納することができ、音楽、音声と連動したトラックの情報を表示することができる。
【図面の簡単な説明】
【図１】本発明の実施の形態１の情報処理装置の一例である再生装置の構成を示すブロック図
【図２】本発明の実施の形態２の情報処理装置の一例である記録再生装置の構成を示すブロック図
【図３】本発明の実施の形態１の情報処理装置における情報処理方法のアルゴリズムを示すフローチャート
【図４】本発明の実施の形態２の情報処理装置における情報処理方法のアルゴリズムを示すフローチャート
【図５】本発明の実施の形態３の情報処理装置における情報処理方法のアルゴリズムを示すフローチャート
【図６】同実施の形態３の情報処理装置における外部メモリ上でのデータ格納例１を示す概念図
【図７】同実施の形態３の情報処理装置における外部メモリ上でのデータ格納例２を示す概念図
【図８】本発明の実施の形態４の情報処理装置における情報処理方法のアルゴリズムを示すフローチャート
【図９】従来の情報処理装置の一例である再生装置の構成を示すブロック図
【符号の説明】
１１    読み出し手段
１２    情報格納手段
１３    ユーザ入力手段
１４    外部メモリ（管理情報格納手段）
１５    制御手段
Ｋ１    記録媒体
Ｇ１    外部装置
２１    読み出し手段
２２    情報格納手段
２３    ユーザ入力手段
２４    外部メモリ（管理情報格納手段）
２５    制御手段
２６    書き込み手段
Ｋ２    記録媒体
Ｇ２    外部装置
３１    読み出し手段
３２    情報格納手段
３３    ユーザ入力手段
３４    機器専用内部メモリ（管理情報格納手段）
３５    制御手段
Ｋ９    記録媒体
【図１】
2004362682.tif 000003
【図２】
2004362682.tif 000004
【図３】
2004362682.tif 000005
【図４】
2004362682.tif 000006
【図５】
2004362682.tif 000007
【図６】
2004362682.tif 000008
【図７】
2004362682.tif 000009
【図８】
2004362682.tif 000010
【図９】
2004362682.tif 000011